(57)【要約】      （修正有）【課題】肩から背中・腰までの指圧のツボに対して、指圧師が行う５〜４０ｋｇ程度の刺激を、一人で、自己の体重を利用して行う指圧器を提供する。【解決手段】指圧師の母指先端を模した山形の突起部１を作成し、さらに被施術者の体格を考慮して、突起部は頂点から０．５ｃｍ〜０．８ｃｍ低い部分の山の直径が１．５ｃｍになるように形を調整し、これに台座２を付けた。【選択図】図１
0003225391.tif 000002
【実用新案登録請求の範囲】
【請求項１】
突起部（体との接点にあたる部品）にボルト（オスネジ）を付け、台座にネジ込み固定することを特徴とした指圧器。
【請求項２】
突起部は単数で、先端部が丸みを帯びかつ径が１ｃｍとなるため、特に硬質な材料を用いる請求項１記載の指圧器。
【請求項３】
前記台座は、突起部をネジで固定し支えるとともに、手に持って位置を自由に変えることができることを特徴とする請求項１記載の指圧器。
【請求項４】
前記台座と突起部をネジで固定する際、全体の高さを約７ｃｍとし、底辺部が接するマットの柔らかさ、体との接点の皮下脂肪による厚みを考慮して、高さは８ｃｍ以上調節できることを特徴とする請求項１記載の指圧器。
【考案の詳細な説明】
【技術分野】
【０００１】      本考案は、腰痛・肩凝り等に対して、仰臥位にて自己の体重をかけることにより、指圧効果を施す指圧器に関するものである。
【背景技術】
【０００２】      従来の指圧器としては、床等に据え置き、単一接点で体重をかけることにより、指圧効果を施すものとして、特開２００７−１６００５６号、実用新案登録第３１９７４３４号、実用新案登録第３３２０８６２８号、実用新案登録第３２１３８３４号公報が公知である。
【先行技術文献】
【特許文献】
【０００３】
【特許文献１】特開２００７−１６００５６号公報
【特許文献２】実用新案登録第３１９７４３４号公報
【特許文献３】実用新案登録第３２０８６２８号公報
【特許文献４】実用新案登録第３２１３８３４号公報
【考案の概要】
【考案が解決しようとする課題】
【０００４】      指圧は、指圧師による施術が最も優れている。指圧器は、人の手を借りずに、その施術に少しでも近づくことを目的とする。指圧師の母指と体との接点は、母指先端骨（医学的には末節骨）であり、硬く幅は約１ｃｍである。特許文献１の指圧器は、ボール状で弾性材料を用いているため、ツボへの力が分散する。また特許文献２の指圧器は、硬さはあるがボール状のため接点が広く、指圧効果が乏しくなる。また特許文献３の指圧器は、硬さはあり、接点もボール状を一部釣鐘状にするなど工夫されているが、接点が１ｃｍよりかなり広くなる。また特許文献４の指圧器は、突起部を複数個だけでなく１つにもでき硬さも変えられるため検討を行ったが、先端が尖らない円丘状ないしは円錐状であり、接点は広い。【０００５】      指圧効果は圧と時間と角度が関係し、指圧師の場合には力は５〜４０ｋｇ程度、指圧時間は５秒前後で、ツボに対して垂直に当てる。肩・背中・腰部では特に圧が必要となるが、筋肉やその他の組織を痛めないように、圧と時間の配分を行い、場所も上下・左右に移動させる。指圧器の場合、圧を高めるためには、床と浮かした体との間の距離（高さ）が必要となる。特許文献１・２・４では、可動性があり一つのツボへの時間は短くなるが、指圧接点の高さが低く圧がかかりにくい。特許文献３では、高さが最大１５ｃｍであるため体が浮いて圧はかかるが、底辺が狭いため可動性に乏しく、一つのツボへの指圧時間が長くなる。また、ツボに対する角度も重要である。ツボは床とは平行でないためツボごとに角度を変える必要があるが、特許文献１・２・３・４ではいずれも考慮されていない。
【課題を解決するための手段】
【０００６】      以上の課題を解決するためには、突起部先端は、堅い木を山形に削り先は丸みを付けて、理想的にはヒトの母指先端骨（医学的には末節骨）の幅１ｃｍ程度にする必要がある。実際に指圧師が施術する際には、強い力が必要な場合に左右の母指を重ね合わせて一点に圧を加えている。指圧点を１ｃｍ程度にするために用いる木は、先端が摩耗しない十分な堅さを要する。そこで、崖柏木（ガイハクボク）という非常に硬質な中国の銘木を使った「にぎり玉  六角」と呼ばれる市販品を利用した。資源が枯渇すれば硬質プラスチックで代用できる。なお、指圧師が左右の母指を使って行う２点指圧の場合、左右は同じ幅、同じ角度、同じ深さではない。そのため、理想の２点指圧をしたい場合には、指圧器は同一の台座では不可能である。本考案は、左右に１つずつを持つことで２点指圧を可能にする。【０００７】      突起部は、６つの突起を持った「にぎり玉  六角」を加工した。１つの突起を切り落とし、ネジ穴を掘る。１つの突起を指圧に用い、周囲４つの突起を高さ調節用の持ち手に使う。全体の高さを４ｃｍとして、中心に１．５〜２ｃｍの深さの穴を掘り、４ｃｍのステンレス製「六角穴付止めねじ」を差し込んで、ボンドで固める。【０００８】      取り付け台は温かみのある木製とし、持ちやすいように標準規格は高さ３ｃｍ×幅５ｃｍ×長さ２０ｃｍとする。取り付け台の先端には、深さ２．５ｃｍ程度の穴をあけて、２ｃｍの長さの「鬼目ナットＥタイプ」を埋め込み、突起部と合わせて結合後の高さは７ｃｍに固定する。皮下脂肪やマットの性状により、床と浮かせた体との間の距離（高さ）が保てない場合、突起部のネジをゆるめて８ｃｍ程度まで高く調節できる。８ｃｍを越える場合、５ｃｍの長さのボルトの使うことで対応する。また底面は、ツボに対して角度が変えられるように、また７ｃｍの距離を維持できるように、頭部と側面の角を深く弧状に削る。【０００９】      全体の高さを７ｃｍ以上にする場合、突起部を回してボルトをゆるめるが、ゆるめた分だけボルトが表面に出る。安全性を高めるため、ボルトを通すための直径３ｃｍ・高さ１ｃｍの木製穴あき円板を用意する。
【考案の効果】
【００１０】      肩から・背中・腰にかけてまんべんに、休むことなく指圧できる。仰臥位で、体を左や右に傾けて指圧のツボに指圧器を当て、腰を浮かせたり反動をつけたりなどの方法で圧を４０ｋｇまで加えることができ、秒単位でツボを移動できる。ハリ治療と異なり、骨以外ならばどこでも当てることができ、痛みと相談しながら動かすことができる。左右１台ずつ使えば、左右同時指圧ができる。痛む患部がない場合でも、肩・背中・腰部の張りに対し毎日就眠前に５分〜３０分程度の自己指圧をすることにより、快い睡眠を得ることができる。
【図面の簡単な説明】
【００１１】
【図１】      本考案の外観図である。台座の長さが２０ｃｍであり、端末部分を手に持って動かす。突起部（体との接点にあたる部品）は６つの角を持つ市販品を加工し、上一つが体との接点、周りの４つがネジを緩めるためのにぎり部分になる。
【図２】      本考案の縦断面図である。
【図３】      本考案の突起部の横断面図である。左が標準の高さ７ｃｍの場合、右が高さ８ｃｍの場合であり、かさ上げした部分には１ｃｍ木製穴あき円板を付ける。
【図４】      加工する前の「にぎり玉  六角」の写真である。
【符号の説明】
【００１２】１  突起部
２  台座
３  ボルト
４  鬼目ナットを埋め込む穴
５  木製穴あき円板
６  突起部に用いる「にぎり玉  六角」
【図１】
0003225391.tif 000003
【図２】
0003225391.tif 000004
【図３】
0003225391.tif 000005
【図４】
0003225391.tif 000006
【手続補正書】
【提出日】令和1年12月9日(2019.12.9)
【手続補正１】
【補正対象書類名】実用新案登録請求の範囲
【補正対象項目名】請求項１
【補正方法】変更
【補正の内容】
【請求項１】
指圧師の母指先端を模した山形の突起部を作成し、さらに被施術者の体格を考慮して、突起部の先端は頂点から０．５ｃｍ〜０．８ｃｍ低い部分の山の直径が１．５ｃｍになるように形を調整し、これに台座を付けた指圧器。
【手続補正２】
【補正対象書類名】明細書
【補正対象項目名】００１１
【補正方法】変更
【補正の内容】
【００１１】
【図１】      本考案の外観図である。台座の長さが２０ｃｍであり、端末部分を手に持って動かす。突起部（体との接点にあたる部品）は６つの角を持つ市販品を加工し、上一つが体との接点、周りの４つがネジを緩めるためのにぎり部分になる。
【図２】      本考案の縦断面図である。
【図３】      本考案の突起部の横断面図である。左が標準の高さ７ｃｍの場合、右が高さ８ｃｍの場合であり、かさ上げした部分には１ｃｍ木製穴あき円板を付ける。請求項１記載にあるように、突起部の先端は頂点から０．５ｃｍ〜０．８ｃｍ低い部分の山の直径が１．５ｃｍになるように形を調整する。
【図４】      加工する前の「にぎり玉  六角」の写真である。
【手続補正３】
【補正対象書類名】図面
【補正対象項目名】図３
【補正方法】変更
【補正の内容】
【図３】
0003225391.tif 000007